(57)【要約】      （修正有）【課題】上部が押圧される時、自身が上部圧力に対する反作用力を有し、前或いは後ろに律動偏移する弾力効果を有するブラジャー用パッドの提供。【解決手段】盤状本体を具え、該盤状本体の少なくとも一側面に複数のフィンが設けられ、且つフィンの間に放熱間隙が保留されて重量が軽減されると共に通気が容易とされ、並びにフィンが一定の強度を有する。【選択図】図１
0003109660.tif 000002
【実用新案登録請求の範囲】
【請求項１】
盤状本体を具え、該盤状本体の少なくとも一側面に複数のフィンが設けられ、且つフィン間に所定の幅の間隙が保留され、並びにフィンが一定の強度を具備するものとされて上部が圧迫される時に、フィン自身が上部圧力に対する反弾力を有し、また、前或いは後ろの律動偏移弾力を具備することを特徴とする、ブラジャー用パッド。
【請求項２】
請求項１記載のブラジャー用パッドにおいて、本体が楕円形とされたことを特徴とする、ブラジャー用パッド。
【請求項３】
請求項１記載のブラジャー用パッドにおいて、フィンの位置が本体の任意の位置とされて任意の角度に配列可能とされたことを特徴とする、ブラジャー用パッド。
【請求項４】
請求項１記載のブラジャー用パッドにおいて、フィン間に複数の連接リブが設けられたことを特徴とする、ブラジャー用パッド。
【請求項５】
請求項１記載のブラジャー用パッドにおいて、本体が環状体に形成され、一定間隙のフィンが環状本体上に設けられ、本体中央に凹部が形成されたことを特徴とする、ブラジャー用パッド。
【請求項６】
請求項１記載のブラジャー用パッドにおいて、本体のフィンの間隙位置に少なくとも一つの通気孔が設けられたことを特徴とする、ブラジャー用パッド。
【請求項７】
請求項１記載のブラジャー用パッドにおいて、本体の表面に被覆層が設けられたことを特徴とする、ブラジャー用パッド。
【請求項８】
請求項７記載のブラジャー用パッドにおいて、被覆層が強度を有するフィルムとされたことを特徴とする、ブラジャー用パッド。
【考案の詳細な説明】
【技術分野】
【０００１】
本考案はブラジャー用パッドに係り、特に乳房に対して律動式の按摩作用を有し、通気性が良好で、触感が良好な構造体であり、ブラジャーのカップ中に固定されて加工工程中に破裂しにくく、不良率を減らし、また抜き取り可能にカップ中に挿入可能で、使用或いは製造のいずれにおいても十分に優れたブラジャー用パッドに関する。
【背景技術】
【０００２】
一般に周知のブラジャーはグラマラスで立体的な輪郭を形成し、或いは乳房を寄せて上げるのに使用され、ブラジャーのカップの中間層内の下端には充填物が設けられ、充填物は最も早期にはスポンジ類とされていたが、その体積が圧力により扁平に縮小しまた水洗に耐えず且つ老化減少を有することが欠点である。このためシリコン類の充填物が提供されたが、シリコンは価格が高く、加工が容易でなく且つ軽量でないため、近年はバッグ型の充填物の設計が提供されている。一般にバッグ型充填物には、エアバッグと液体バッグがあり、バッグ内充填物が空気或いは液体のいずれであっても、ブラジャー製造時にそのモールディング用の型の温度は非常に高いため、エアバッグ或いは液体バッグの位置が僅かにずれても、変形や破損により漏気或いは漏水が発生し、不良率が非常に高くなる。当然縫製によりカップを封じる方法を採用する場合も、エアバッグ或いは液体バッグを刺破る情況が発生し、上述の漏気或いは漏水の情況が発生し、これが周知の技術の主要な欠点である。
【０００３】
このほか、周知のエアバッグ或いは液体バッグ自身は通気性がなく、ブラジャーのカップ中に置かれて乳房の下端を支持するとき、乳房を汗ばませ、皮膚過敏の女性の使用に快適でなく、また衛生的でなく、これが周知の技術のもう一つの欠点である。
【０００４】
更に、エアバッグは軽量で却って真実感がなく、液体バッグは重過ぎ、ゆえに上述の周知の充填物はいずれも不完全で欠点を有し、改良の必要がある。
【考案の開示】
【考案が解決しようとする課題】
【０００５】
本考案の主要な目的は、弾性体を基本材料とし、特に好ましくはシリコン類を使用して盤状本体を形成し、該盤状本体の少なくとも一つの側面に複数のフィンを形成し、且つフィンの間に所定の幅の放熱間隙を保留し、これにより重量を軽減し且つ通気をよくし、並びにフィンに一定の強度を具備させるほか、上部が圧迫される時に、自身が上部圧力に対する反弾力を有するようにし、更に前或いは後ろの律動偏移弾力を具備するようにし、按摩効果を具備させ、且つ触感を良好としたブラジャー用パッドを提供することにある。
【課題を解決するための手段】
【０００６】
請求項１の考案は、盤状本体を具え、該盤状本体の少なくとも一側面に複数のフィンが設けられ、且つフィン間に所定の幅の間隙が保留され、並びにフィンが一定の強度を具備するものとされて上部が圧迫される時に、フィン自身が上部圧力に対する反弾力を有し、また、前或いは後ろの律動偏移弾力を具備することを特徴とする、ブラジャー用パッドとしている。
請求項２の考案は、請求項１記載のブラジャー用パッドにおいて、本体が楕円形とされたことを特徴とする、ブラジャー用パッドとしている。
請求項３の考案は、請求項１記載のブラジャー用パッドにおいて、フィンの位置が本体の任意の位置とされて任意の角度に配列可能とされたことを特徴とする、ブラジャー用パッドとしている。
請求項４の考案は、請求項１記載のブラジャー用パッドにおいて、フィン間に複数の連接リブが設けられたことを特徴とする、ブラジャー用パッドとしている。
請求項５の考案は、請求項１記載のブラジャー用パッドにおいて、本体が環状体に形成され、一定間隙のフィンが環状本体上に設けられ、本体中央に凹部が形成されたことを特徴とする、ブラジャー用パッドとしている。
請求項６の考案は、請求項１記載のブラジャー用パッドにおいて、本体のフィンの間隙位置に少なくとも一つの通気孔が設けられたことを特徴とする、ブラジャー用パッドとしている。
請求項７の考案は、請求項１記載のブラジャー用パッドにおいて、本体の表面に被覆層が設けられたことを特徴とする、ブラジャー用パッドとしている。
請求項８の考案は、請求項７記載のブラジャー用パッドにおいて、被覆層が強度を有するフィルムとされたことを特徴とする、ブラジャー用パッドとしている。
【考案の効果】
【０００７】
本考案は、使用上、以下のような長所を有している。
１．本考案は弾性体とされ、盤状或いは環状の本体を具え、それに一定の間隙のフィンが設けられ、該フィンは自身が上部圧力に対する反弾力を有し、また前或いは後ろの律動偏移弾力を具備し、ゆえに使用上、按摩効果を具備し、且つ皮膚の触感が特に優れている。
２．本考案は垂直方向にあって、本体に孔が設けられ、水平方向にあってフィン間に間隙を有し、いずれも熱気の放出に有利であり、皮膚に汗による病変や不適を発生させない。
３．本考案は弾性体を材料とし、熱シール或いは縫製によりカップ或いはブラジャー内に置かれ変形或いは破裂せず、製品の不良率を大幅に下げることができ、且つ十分に耐久性がある。
４．本考案のフィンの位置は本体の任意の位置とされ、並びに必要により任意の角度配列とされ、乳房を支持するのに用いられ、使用上更にフィットする。
本考案は上述の効果を達成し、実用新案登録の要件を具備している。
【考案を実施するための最良の形態】
【０００８】
図１から８に示されるように本考案は多種類の実施方式を有するが、これに限定されるものではない。本考案は一体成形された弾性体構造とされ、材質上は、触感に優れたシリコン類を材料とするのがよい。以下に本考案の構造について詳細に説明する。
【０００９】
図１は本考案の第１実施例であり、盤状本体１１を具え、該盤状本体１１は各種の適当な形状に形成されるが、本考案では円形としている。盤状本体１１の一側面に複数のフィン１２が設けられ、且つフィン１２間に所定の幅の間隙１３が保留され、並びにフィン１２が一定の強度を有するほか、上部が圧迫される時に、自身が上部圧力に対する反弾力を有し、また、前或いは後ろの律動偏移弾力を具備し、異なる方向に異なる律動の効果を発生し、フィン１２の律動の方向性を考慮して、フィン１２の位置は、楕円形の盤状本体１１の短径に平行であるのが基本設計とされる。
【００１０】
図２は本考案の別の実施例を示し、弾性本体２１を具え、該本体２１に複数の所定の間隙２３を具えたフィン２２が設けられるが、図１と異なることは、該フィン２２の位置が、楕円形本体２１の長径に平行とされ、これによりフィンが設置角度及び方向の違いにより異なる律動方向を発生できる。
【００１１】
図３は本考案のまた別の実施例であり、弾性本体３１を具え、該本体３１に複数の所定の間隙３３を具えたフィン３２が設けられ、ただしフィン３２の長さが比較的長い時、その強度を高めるために、フィン３２間に複数の連接リブ３４が設けられ、フィン３２及び連接リブ３４が平面視によると格子状に配列される。
【００１２】
図４の実施例では、弾性本体４１上のフィン４２及び連接リブ４４がいずれも一定の傾斜を呈して交叉するように配列され、その間隙４３がティルト角により異なる律動効果を発生する。
【００１３】
図５の実施例では、弾性本体５１の底部外周に環状体が形成され、環状本体５１に複数のフィン５２が連設され、フィン５２が一定の間隙５３を具え、フィン５２は環状本体５１上に架設され、本体５１中央に凹部５４が形成されて、良好な放熱深さを形成し、通気性が良好とされる。
【００１４】
図６の実施例では、盤状本体６１が設けられ、本体６１の一側面に所定間隙６３を具えたフィン６２が設けられるが、本体６１上の間隙６３位置に、少なくとも一つの貫通孔６４が設けられてその通気性が高められ、該貫通孔６４の形状或いは長さ、或いは数量は必要により設置される。
【００１５】
図８の実施例では、盤状本体７１が設けられ、本体７１の一側面に所定間隙７３を具えたフィン７２が設けられるが、その全体は保持しやすく衛生を維持するため、その表面に被覆層７４が設けられ、被覆層７４は強靱なフィルムとされうる。
【００１６】
図７は本考案の図２の使用実施例を示す。本考案がブラジャーのカップ９０下方に置かれ（或いは直接ブラジャーに置かれる）、使用時に乳房８０を支持し、熱により皮膚に熱気が発生する時、この熱気流ａがフィン２２間の間隙２３を通り放出され、ブラジャー着用を更に快適とする。
【図面の簡単な説明】
【００１７】
【図１】本考案の第１実施例の断面立体図である。
【図２】本考案の第２実施例の断面立体図である。
【図３】本考案の第３実施例の平面図である。
【図４】本考案の第４実施例の平面図である。
【図５】本考案の第５実施例の断面立体図である。
【図６】本考案の第６実施例の断面立体図である。
【図７】本考案の通風放熱効果表示図である。
【図８】本考案の第７実施例の縦断面図である。
【符号の説明】
【００１８】
１１  本体                １２  フィン
１３  間隙                ２１  本体
２２  フィン              ２３  間隙
３１  本体                ３２  フィン
３３  間隙                ３４  連接リブ
４１  本体                ４２  フィン
４３  連接リブ            ４４  連接リブ
５１  本体                ５２  フィン
５３  間隙                ５４  凹部
６１  本体                ６２  フィン
６３  間隙                ６４  孔
７１  本体                ７２  フィン
７３  間隙                ７４  被覆層
８０  乳房                ９０  カップ
ａ  気流
【図１】
0003109660.tif 000003
【図２】
0003109660.tif 000004
【図３】
0003109660.tif 000005
【図４】
0003109660.tif 000006
【図５】
0003109660.tif 000007
【図６】
0003109660.tif 000008
【図７】
0003109660.tif 000009
【図８】
0003109660.tif 000010